【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  コンピュータ本体（３）に接続して使用するための磁気カードリーダであって、
中央演算処理装置（ＣＰＵ）（６）と、
読出し専用メモリ（ＲＯＭ）（７）と、
等速読出しメモリ（ＲＡＭ）（８）と、
電気的消去形プログラマブルＲＯＭ（ＥＥＰＲＯＭ）（１２）と、
磁気カード群（２０，…）中の各個の磁気カード（２０）の磁気ストライプ（２０ｍ）に記録された磁気カード情報を読取ることの出来る、再生用磁気ヘッド（１４）及び磁気記録再生回路（１５）と、
上記諸要素を相互に接続するバス（Ｂ）と、
上記諸要素を収納する筐体（Ａ）と、
を含有し、
上記読出し専用メモリ（ＲＯＭ）（７）は、上記中央演算処理装置（ＣＰＵ）（６）の動作に必要なシステムプログラムや、処理番号・プログラム対応表、デコードプログラム、コード変換プログラム、その他のプログラムを、予め記録したものであり、
上記等速読出しメモリ（ＲＡＭ）（８）は、上記中央演算処理装置（ＣＰＵ）の動作時に必要なデータを、随時書込み・読出しするためのものであり、
上記電気的消去形プログラマブルＲＯＭ（ＥＥＰＲＯＭ）（１２）は、上記磁気カード群（２０，…）中の任意のメニューカード（２０）から読込んだメニュー内容に対応するプログラムを、書込むためのものであり、
上記筐体（Ａ）の上面には、磁気カード案内溝（２）が形成され、
上記再生用磁気ヘッド（１４）は、上記磁気カード案内溝（２）の内壁に即して配設され、
同筐体（Ａ）の側面には、コンピュータ本体（３）に対して着脱自在に電気的に接続するための第１のコネクタ（Ｃ1）と、キーボード（５）に対して着脱自在に電気的に接続するための第２のコネクタ（Ｃ2）とが付設され、
上記磁気カード群（２０，…）中の任意のメニューカード又は非メニューカード（２０）が磁気カード案内溝（２）内を所定方向に通過する時は、上記再生用磁気ヘッド（１４）と磁気記録再生回路（１５）とが共同して、当該メニューカード又は非メニューカード（２０）の磁気ストライプ（２０ｍ）から磁気カード情報を読取り、
上記メニューカード（２０）のメニュー内容が、上記中央演算処理装置（ＣＰＵ）（６）内のレジスタに格納されたときは、先ず、上記等速読出しメモリ（ＲＡＭ）（８）中の処理番号・プログラム対応表を参照して、当該メニュー内容中の処理番号に対応するプログラムを順次上記読出し専用メモリ（ＲＯＭ）（７）から呼出して、当該中央演算処理装置（ＣＰＵ）内のレジスタ若しくは上記等速読出しメモリ（ＲＡＭ）（８）に格納し、
次に、当該メニュー内容にメニュー内容記録指令が存在する場合は、当該メニュー内容に対応するプログラムを、上記電気的消去形プログラマブルＲＯＭ（ＥＥＰＲＯＭ）（１２）に記録せしめ、
上記非メニューカード（２０）の磁気カード情報が、上記中央演算処理装置（ＣＰＵ）（６）のレジスタに格納されたときは、当該磁気カード情報を、上記読出し専用メモリ（ＲＯＭ）（７）から読出したコード変換プログラムによって、キーボード信号形式に変換し、上記バス（Ｂ）を介して上記キーボードインタフェース（１０）のバッファレジスタに一旦蓄積し、そこから上記コンピュータ本体（３）へ出力せしめる、
磁気カードリーダ。
【請求項２】  請求項１記載の磁気カードリーダにおいて、
光学的情報読取手段（１３）を含有し、
前記筐体（Ａ）の側面には、第３のコネクタ（Ｃ3）が付設され、
上記光学的情報読取手段（１３）は、前記筐体（Ａ）の外部に配設され、ケーブルを介して上記第３のコネクタ（Ｃ3）に接続され、更に、通信用インタフェース（９）を介して前記バス（Ｂ）に電気的に接続され、且つバーコードラベルからバーコード情報を読取ることが出来るように構成され、
当該バーコード情報が、前記中央演算処理装置（ＣＰＵ）（６）のレジスタに読込まれたときは、当該バーコード情報を、当該中央演算処理装置（ＣＰＵ）（６）が上記読出し専用メモリ（ＲＯＭ）（７）から読出したコード変換プログラムによって、キーボード信号形式に変換し、上記バス（Ｂ）を介して上記キーボードインタフェース（１０）のバッファレジスタに一旦蓄積し、そこから上記コンピュータ本体（３）へ出力せしめる、
磁気カードリーダ。
【請求項３】  請求項１記載の磁気カードリーダにおいて、
光学的情報読取手段を含有し、
上記光学的情報読取手段は、前記磁気カード案内溝（２）の内壁に即して配設されると共に、通信用インタフェース（９）を介して前記バス（Ｂ）に電気的に接続され、且つ光カード若しくは磁気カードのＯＣＲエリアからバーコード情報を読取ることが出来るように構成され、
当該バーコード情報が、前記中央演算処理装置（ＣＰＵ）（６）のレジスタに読込まれたときは、当該バーコード情報を、当該中央演算処理装置（ＣＰＵ）（６）が上記読出し専用メモリ（ＲＯＭ）（７）から読出したコード変換プログラムによって、キーボード信号形式に変換し、上記バス（Ｂ）を介して上記キーボードインタフェース（１０）のバッファレジスタに一旦蓄積し、そこから上記コンピュータ本体（３）へ出力せしめる、
磁気カードリーダ。
【請求項４】  請求項１記載の磁気カードリーダと、コンピュータ本体（３）と、ディスプレイ（４）と、キーボード（５）と、磁気カード群（２０，…）とを、含有する情報処理システムであって、
上記磁気カードリーダの第１のコネクタ（Ｃ1）は、上記コンピュータ本体（３）に対して、ケーブルを介して電気的に接続され、
上記磁気カードリーダの第２のコネクタ（Ｃ2）は、キーボード（５）に対して、ケーブルを介して電気的に接続され、
上記磁気カード群（２０，…）は、ｍ個（ｍ≧１）のメニューカード（２０，…）と、ｎ個（ｎ≧１）の非メニューカード（２０，…）とを含有し、
上記各メニューカード（２０）の磁気ストライプ（２０ｍ）上のメニュー内容は、上記磁気カードリーダ又はコンピュータ本体（３）に対する命令から成り、上記各非メニューカード（２０）の磁気ストライプ（２０ｍ）上の記録データは、上記コンピュータ本体（３）に対して入力される、
情報処理システム。
【請求項５】  請求項２記載の磁気カードリーダと、光学的情報読取手段（１３）と、コンピュータ本体（３）と、ディスプレイ（４）と、キーボード（５）と、磁気カード群（２０，…）と、を含有する情報処理システムであって、
上記磁気カードリーダの第１のコネクタ（Ｃ1）は、上記コンピュータ本体（３）に対して、ケーブルを介して電気的に接続され、
上記磁気カードリーダの第２のコネクタ（Ｃ2）は、キーボード（５）に対して、ケーブルを介して電気的に接続され、
上記磁気カードリーダの第３のコネクタ（Ｃ3）は、上記光学的情報読取手段（１３）に対して、ケーブルを介して電気的に接続され、
上記光学的情報読取手段（１３）は、前記筐体（Ａ）の外部に配設され、前記ケーブルを介して前記第３のコネクタ（Ｃ3）に接続され、更に、前記通信用インタフェース（９）を介して前記バス（Ｂ）に電気的に接続され、
上記磁気カード群（２０，…）は、ｍ個（ｍ≧１）のメニューカード（２０，…）と、ｎ個（ｎ≧０）の非メニューカード（２０，…）とを含有し、
上記各メニューカード（２０）の磁気ストライプ（２０ｍ）上のメニュー内容は、上記磁気カードリーダ又はコンピュータ本体（３）に対する命令から成り、上記各非メニューカード（２０）の磁気ストライプ（２０ｍ）上の記録データは、上記コンピュータ本体（３）に対してそのまま入力される、
情報処理システム。
【請求項６】  請求項３記載の磁気カードリーダと、光学的情報読取手段と、コンピュータ本体（３）と、ディスプレイ（４）と、キーボード（５）と、磁気カード群（２０，…）と、を含有する情報処理システムであって、
上記磁気カードリーダの第１のコネクタ（Ｃ1）は、上記コンピュータ本体（３）に対して、ケーブルを介して電気的に接続され、
上記磁気カードリーダの第２のコネクタ（Ｃ2）は、キーボード（５）に対して、ケーブルを介して電気的に接続され、
上記光学的情報読取手段は、前記磁気カード案内溝（２）の内壁に即して配設されると共に、前記通信用インタフェース（９）を介して前記バス（Ｂ）に電気的に接続され、
上記磁気カード群（２０，…）は、ｍ個（ｍ≧１）のメニューカード（２０，…）と、ｎ個（ｎ≧０）の非メニューカード（２０，…）とを含有し、
上記各メニューカード（２０）の磁気ストライプ（２０ｍ）上のメニュー内容は、上記磁気カードリーダ又はコンピュータ本体（３）に対する命令から成り、
上記各非メニューカード（２０）の磁気ストライプ（２０ｍ）上の記録データは、上記コンピュータ本体（３）に対してそのまま入力される、
情報処理システム。
【手続補正２】
【補正対象書類名】明細書
【補正対象項目名】００１０
【補正方法】変更
【補正の内容】
【００１０】
この出願の発明の磁気カードリーダの第２の形態は、前記磁気カードリーダの第１の形態において、
光学的情報読取手段１３を含有し、
前記筐体Ａの側面には、第３のコネクタＣ３が付設され、
光学的情報読取手段１３は、前記筐体Ａの外部に配設され、ケーブルを介して第３のコネクタＣ３に接続され、更に通信用インタフェース９を介して前記バスＢに電気的に接続され、且つバーコードラベルからバーコード情報を読取ることが出来るように構成され、
当該バーコード情報が、前記中央演算処理装置（ＣＰＵ）６のレジスタに読込まれたときは、当該バーコード情報を、読出し専用メモリ（ＲＯＭ）７から読出したコード変換プログラムによって、キーボード信号形式に変換し、バスＢを介してキーボードインタフェース１０のバッファレジスタに一旦蓄積し、そこからコンピュータ本体３へ出力せしめる、
ものである。